(57)【特許請求の範囲】
【請求項１】
柱群（３６）によって相互に固定関係の上下の水平固定板（３７ａ，３７ｂ）を設け、環状路（３９）を保って嵌込んだ外側の鉛直な上端閉塞外筒（３２）下部と内側の下降管（３１）下部とをそれぞれ前記上下の水平固定板（３７ａ，３７ｂ）に固着し、上端開口を水面（Ｌ）よりも高い位置に設定した，浮上油等を誘導する鉛直誘導管（４０）を設け、その鉛直誘導管の外面に対して水密に摺動可能に，浮上油等を鉛直誘導管へ向って下降させる前記下降管（３１）を上方から嵌込み、前記外筒の下端開口を水面に対して一定のレベルに保持するフロート（３３）を設けたことを特徴とする浮上油等の吸入器。
【請求項２】
柱群（３６）によって相互に固定関係の上下の水平固定板（３７ａ，３７ｂ）を設け、環状路（３９）を保って嵌込んだ外側の鉛直な上端閉塞外筒（３２）下部と内側の下降管（３１）下部とをそれぞれ前記上下の水平固定板（３７ａ，３７ｂ）に固着し、上端開口を水面（Ｌ）よりも高い位置に設定した，浮上油等を誘導する鉛直誘導管（４０）を設け、その鉛直誘導管の外面に対して水密に摺動可能に，浮上油等を鉛直誘導管へ向って下降させる下降管（３１）を上方から嵌込み、略正多角形の水平板（３５）の周縁部の上面且つ各角部に複数個のフロート（３３）を取付け、水平板上において、フロートの内側で且つ水平板の中心の回りに前記柱群（３６）を立設し、外筒の下端開口を水面に対して一定のレベルに保持するようにしたことを特徴とする浮上油等の吸入器。
【発明の詳細な説明】
【０００１】
【発明の属する技術分野】
本発明は食品加工場等から排出される廃水を溜める廃水タンクの水面に浮上した油脂類・スカム（以下浮上油等と呼称）を吸入する浮上油等の吸入器に関するものである。
【０００２】
【従来の技術】
食品加工場等から油脂類・微細な固形分等を含む廃水が排出されるが、その廃水には油脂類・スカムが含まれ、そのままでは廃棄出来ないので、廃棄物処理業者に委託処理するか、場内で分離処理するかしている。廃棄物処理業者に委託処理すると、多額の処理料を支払う必要があり、コスト負担が嵩むため、通常は図１に示すような廃水処理装置で油脂類・スカムを分離している。
【０００３】
図１に示す、従来の廃水処理装置について説明すると、廃水タンク１に溜めた廃水Ｗの水面Ｌに浮上した浮上油等は、スカムポンプ２を起動し、フロート３ａで水面に保持した吸入器３により吸入し、フレキシブルホース４を経て、フィルター５で固形分を分離し、さらに油水分離器６に通して、油と水とに分離し、水は廃水タンク１に戻し、油は分離油回収タンク７に溜めている。
【０００４】
しかしながら、フロート３ａは吸入器３のみならずフレキシブルホース４の一端も吊り下げるようにしてあるため、水面Ｌが低下するとフレキシブルホース４が廃水タンク１の底に接触し、フロート３ａに加わる荷重が減少し、吸入器３の吸入口が水面Ｌよりも高くなり、吸入不可能になると言う問題点がある。
【０００５】
【発明が解決しようとする課題】
解決しようとする課題は、上記従来の浮上油等の吸入器は、吸入器３の吸入口が水面Ｌよりも高くなり、吸入不可能になることがあることであって、本発明は上記問題を解決した、吸入口が水面Ｌに対して一定のレベルに保持される浮上油等の吸入器を提供するものである。
【０００６】
【課題を解決するための手段】
第１の発明は、図２乃至図６に示す如く、柱群３６によって相互に固定関係の上下の水平固定板３７ａ，３７ｂを設け、環状路３９を保って嵌込んだ外側の鉛直な上端閉塞外筒３２下部と内側の下降管３１下部とをそれぞれ前記上下の水平固定板３７ａ，３７ｂに固着し、上端開口を水面Ｌよりも高い位置に設定した、浮上油等を誘導する鉛直誘導管４０を設け、その鉛直誘導管４０の外面に対して水密に摺動可能に、浮上油等を鉛直誘導管４０へ向って下降させる前記下降管３１を上方から嵌込み、前記外筒３２の下端開口を水面Ｌに対して一定のレベルに保持するフロート３３を設けた浮上油等の吸入器であって、水面Ｌが変動しても、それに追従して、フロート３３により下降管３１、外筒３２が上下動し、外筒３２の下端が水面Ｌよりも僅かに低いレベルに常に保持され、ポンプ２０を起動すると、安定して廃水タンク水面の浮上油等が吸入され、フィルター・油水分離器等へ運ばれる。
【０００７】
第２の発明は、第１の発明の変形実施態様であって、略正多角形の水平板３５の周縁部の上面、各角部に複数個のフロート３３を取付け、水平板３５上において、フロート３３の内側、且つ水平板３５の中心の回りに前記柱群３６を立設し、外筒３２の下端開口を水面Ｌに対して一定のレベルに保持するよう、下降管３１及び外筒３２を固定したものである。
【０００８】
【発明の実施の形態】
本発明の実施の形態例について、図２乃至図６により説明すると、４０は浮上油等を誘導する鉛直誘導管であって、上端開口を水面Ｌよりも高い位置に固定してあり、その下流側には管路４５を介してポンプ２０に接続してある。
【０００９】
本発明の吸入器３０について説明すると、３７ａ，３７ｂは柱群３６によって相互に固定関係の上下の水平固定板で、環状路３９を保って嵌込んだ外側の鉛直な上端閉塞外筒３２下部と内側の下降管３１下部とがそれぞれ前記上下の水平固定板３７ａ，３７ｂに固着してある。３１は浮上油等を前記鉛直誘導管４０へ向って下降させる下降管であって、前記鉛直誘導管４０の外面に対して水密に摺動可能に上方から嵌込んである。外筒３２の下端から吸入された浮上油等は、下降管３１の外面との間に形成された環状路を上昇し、最高位置に達したら反転して下降管３１に入るようにしてある。なお、下降管３１の上端部は浮上油等の反転を容易にするため、斜めに切ってある。
【００１０】
３３は外筒３２の下端開口を水面Ｌに対して一定のレベルに保持するフロートであって、略正多角形（図では正三角形）の水平板３５の周縁部（コーナー）の上面の各角部に複数個（図では３個）取付けてある。水平板３５上のフロート３３の内側で且つ水平板３５の中心の回りに複数本（図では３本）の前記柱群３６が立設されている。柱群３６並びに水平固定板３７を介して、下降管３１及び外筒３２を水平板３５にその中心線を通るよう固定してあり、それによって、外筒３２の下端開口を水面Ｌに対して一定のレベルに保持することが出来る。
【００１１】
なお、外筒３２の下端開口とフロート３３の中心は略同じレベルにしてあるが、吸入器３０を水面に浮べた場合、外筒３２の下端開口を水面Ｌに対して一定のレベルに保持するためには、フロート３３の大きさ、数等を検討する必要がある。また、水平板３５、固定板３７の中心には、それらが下降管３１及び外筒３２と共に上下動可能に、誘導管４０を通す孔Ｇ，Ｈを開けてある。
【００１２】
作用について説明すると、図３に示すように、外筒３２の下端開口は、フロート３３の浮力により、鉛直且つ水面Ｌに対して僅かに低い一定のレベルに常に保持される。この状態は、水面Ｌが変動しても変らず、それに追従するフロート３３と一体的に下降管３１、外筒３２も上下動するため、常に保持される。次いでポンプ２０を起動すると、外筒３２の下端開口から安定して浮上油等が吸入され、フィルター・油水分離器等へ運ばれる。
【００１３】
ここで水平固定板３７ａ，３７ｂの浮上油等の案内作用について図５及び図６により説明すると、水平固定板３７ａ，３７ｂのうち、外筒３２の下端開口の直下に設け、その開口との間に僅かに隙間（３〜５ミリ）を形成したもの３７ｂは、水吸入時、水を開口に向って水平方向に案内する作用があり、それによって外筒３２の周囲水面に浮ぶ浮上油等を選択的に誘導、吸入することが出来、水の吸入量を低減し、無駄な水の循環を抑制することが出来る。さらに図６に示すように、下の水平固定板３７ｂ上に上端が水面Ｌよりも低く、且つ外筒３２の下端を囲む鉛直ガイド筒３８を垂設することは好ましいことである。
【００１４】
【発明の効果】
本発明は以上のように構成されるため、水面Ｌが変動しても、それに追従して、フロート３３により下降管３１、外筒３２が上下動し、外筒３２の下端を水面Ｌよりも僅かに低いレベルに保持することが出来、外筒３２の下端開口から安定して浮上油等を吸入し、フィルター・油水分離器等へ運ぶことが出来る。
【図面の簡単な説明】
【図１】  従来例を示す機器構成図である。
【図２】  本発明の実施の形態例を示す平面図である。
【図３】  本発明の実施の形態例の運転状態を示す断面図である。
【図４】  図３の上要部を示す断面図である。
【図５】  図３の下要部を示す断面図である。
【図６】  図３の下要部の別の形態例を示す断面図である。
【符号の説明】
１      廃水タンク
２      スカムポンプ
３      吸入器
３ａ    フロート
４      フレキシブルホース
５      フィルター
６      油水分離器
７      分離油回収タンク
２０    ポンプ
３０    吸入器
３１    下降管
３２    外筒
３３    フロート
３５    水平板
３６    柱群
３７ａ 水平固定板（上）
３７ｂ 水平固定板（下）
３８    鉛直ガイド筒
３９    環状路
４０    誘導管
４５    管路
Ｇ      孔
Ｈ      孔
Ｌ      水面
Ｗ      廃水
【図１】
0003981420.tif 000002
【図２】
0003981420.tif 000003
【図３】
0003981420.tif 000004
【図４】
0003981420.tif 000005
【図５】
0003981420.tif 000006
【図６】
0003981420.tif 000007